(57)【要約】【課題】ユーザが削除する理由に応じて、失敗画像とその解析結果との関係を出力すること。【解決手段】撮像条件に関する撮像条件情報を対応付けた撮像画像データを記録媒体に記録させる画像情報記録制御部と、前記画像情報記録制御部により記録された撮像画像データが削除対象に指定された場合に、前記削除対象の撮像画像データが撮像された時点から削除対象に指定された時点までに関する当該撮像画像データの関連情報に応じて、前記削除対象の撮像画像データと対応付けられた撮像条件情報を統計処理する統計処理部と、を備えることを特徴とする。【選択図】図１
2012165184.tif 000002
【特許請求の範囲】
【請求項１】
撮像条件に関する撮像条件情報を対応付けた撮像画像データを記録媒体に記録させる画像情報記録制御部と、
前記画像情報記録制御部により記録された撮像画像データが削除対象に指定された場合に、前記削除対象の撮像画像データが撮像された時点から削除対象に指定された時点までに関する当該撮像画像データの関連情報に応じて、前記削除対象の撮像画像データと対応付けられた撮像条件情報を統計処理する統計処理部と、
を備えることを特徴とする画像管理装置。
【請求項２】
さらに、前記画像情報記録制御部により記録された撮像画像データに対して与えられた操作を示す操作情報を当該操作の対象の撮像画像データと対応付けて記録媒体に記録させる操作情報記録制御部を備え、
前記関連情報は、前記削除対象の撮像画像データと対応付けられた前記操作情報であることを特徴とする請求項１に記載の画像管理装置。
【請求項３】
前記関連情報は、前記画像情報記録制御部により記録された撮像画像データが削除対象に指定された場合に、前記削除対象に指定された時刻に基づく削除時刻であることを特徴とする請求項１あるいは２に記載の画像管理装置。
【請求項４】
前記統計処理部は、前記統計処理として、前記削除対象の撮像画像データと対応付けられている前記撮像条件毎の出現頻度を算出し、前記出現頻度に応じた前記撮像条件情報の統計結果を前記操作情報毎に表示部に表示させることを特徴とする請求項１から３のいずれか一項に記載の画像管理装置。
【請求項５】
前記統計処理部は、
前記撮像画像データが転送される転送先の外部表示装置により前記撮像画像データが削除された場合、前記外部表示装置から少なくとも前記撮像画像データが削除された時刻を示す外部削除時刻情報を受信して、当該削除された撮像画像データと対応付けられている前記撮像時刻情報が示す時刻から前記外部削除時刻情報が示す時刻までの期間に基づいて当該撮像画像データが前記失敗画像であると判定することを特徴とする請求項１から４のいずれか一項に記載の画像管理装置。
【請求項６】
上記請求項１から５のいずれか一項に記載の画像管理装置を備えることを特徴とする撮像装置。
【請求項７】
コンピュータを
撮像条件に関する撮像条件情報を対応付けた撮像画像データを記録媒体に記録させる画像情報記録制御手段、
前記画像情報記録制御手段により記録された撮像画像データが削除対象に指定された場合に、前記削除対象の撮像画像データが撮像された時点から削除対象に指定された時点までに関する当該撮像画像データの関連情報に応じて、前記削除対象の撮像画像データと対応付けられた撮像条件情報を統計処理する統計処理手段、
として機能させるためのプログラム。
【発明の詳細な説明】
【技術分野】
【０００１】
本発明は、画像管理装置、撮像装置およびプログラムに関する。
【背景技術】
【０００２】
例えば、削除された画像をユーザが失敗画像であると判断した画像と仮定して、削除された画像の撮像条件などを解析し、この解析結果を表示する撮像装置がある（例えば、特許文献１参照）。
【先行技術文献】
【特許文献】
【０００３】
【特許文献１】特開２００９−２１８９３２号公報
【発明の概要】
【発明が解決しようとする課題】
【０００４】
この特許文献１では、削除された全ての画像を、失敗画像であるとユーザが判断した画像と仮定し、削除された全ての画像に対応する撮像条件を解析している。このため、削除された画像には、ユーザが失敗と判断したことを理由に削除された画像と、失敗以外の理由であって例えばメモリの容量を確保するために削除された画像とが含まれる。
しかしながら、削除された全ての画像は、ユーザが失敗を理由に削除した画像であるとは限らない。
よって、この失敗以外の理由で削除された画像の撮像条件も解析結果に含まれるため、解析結果と失敗画像との関係性を十分に示すことができない問題があった。
【０００５】
本発明は、前記の点に鑑みてなされたものであり、ユーザが削除する理由に応じて、失敗画像とその解析結果との関係を出力することができる表示装置、撮像装置およびプログラムを提供することを目的とする。
【課題を解決するための手段】
【０００６】
本発明は、上記の課題を解決するためになされたものであり、撮像条件に関する撮像条件情報を対応付けた撮像画像データを記録媒体に記録させる画像情報記録制御部と、前記画像情報記録制御部により記録された撮像画像データが削除対象に指定された場合に、前記削除対象の撮像画像データが撮像された時点から削除対象に指定された時点までに関する当該撮像画像データの関連情報に応じて、前記削除対象の撮像画像データと対応付けられた撮像条件情報を統計処理する統計処理部と、を備えることを特徴とする。
【発明の効果】
【０００７】
本発明によれば、ユーザが削除する理由に応じて、失敗画像とその解析結果との関係を出力することができる。
【図面の簡単な説明】
【０００８】
【図１】本発明の実施形態に係る撮像装置の構成を示すブロック図である。
【図２】本発明の実施形態に係る統計処理をする対象と撮像されてから削除されるまでの時間との関係を示す図である。
【図３】本発明の実施形態に係る画像履歴テーブルの一例を示す図である。
【図４】本発明の実施形態に係る撮像処理フローを説明するためのフローチャートである。
【図５】本発明の実施形態に係る転送処理フローを説明するためのフローチャートである。
【図６】本発明の実施形態に係る再生処理フローを説明するためのフローチャートである。
【図７】本発明の実施形態に係る統計処理結果を表示する表示画面の一例を示す図である。
【発明を実施するための形態】
【０００９】
本発明の実施形態について図面を参照して詳細に説明する。図１は、本実施形態に係る撮像装置の構成を示すブロック図である。
図１に示す通り、撮像装置１は、撮像部１０１と、ＣＰＵ１０２と、計時部１０３と、表示部１０４と、操作部１０５と、画像処理部１０６と、画像情報記録制御部１０７と、操作情報記録制御部１０８と、メモリ部１０９と、バッファメモリ部１１０と、通信部１１１と、バス１１２とを備える。この撮像装置１は、通信部１１１を介して外部表示装置３と接続し、撮像装置１に記録されている情報の通信を行う。
【００１０】
この撮像部１０１は、光学系２０１と、撮像素子２０２と、Ａ／Ｄ（Ａｎａｌｏｇ／Ｄｉｇｉｔａｌ）変換部２０３とを備える。
撮像部１０１は、設定された撮像条件に従って、ＣＰＵ１０２の撮像制御部３０１により制御される。この撮像部１０１は、光学系２０１による光学像を撮像素子２０２に結像させて、Ａ／Ｄ変換部２０３がデジタル信号に変換した光学像に基づく撮像画像データを生成し、ＣＰＵ１０２に出力する。
この撮像条件は、操作部１０５を介してユーザにより指示された操作情報に基づき決定されるものもあり、また、後述するＣＰＵ１０２の撮像制御部３０１によって被写体に応じて決定されるものもある。これら撮像条件に含まれる各設定値は、撮像時に撮像制御部３０１によって参照されるため、メモリ部１０９に記録されている。
【００１１】
光学系２０１は、ズームレンズ２１１と、焦点調整レンズ（以下、「ＡＦ（Ａｕｔｏ Ｆｏｃｕｓ）レンズ」という）２１２と、レンズエンコーダ２１３と、レンズ駆動部２１４と、シャッター２１５を備える。この光学系２０１は、ズームレンズ２１１側から入射し、ズームレンズ２１１およびＡＦレンズ２１２を通過した光学像を、撮像素子２０２の受光面に導く。
このズームレンズ２１１およびＡＦレンズ２１２は、これらを通過した光学像の光軸が撮像素子２０２の受光面に直交する位置関係となるように配置されている。
【００１２】
レンズエンコーダ２１３は、ズームレンズ２１１の位置を表わすズームポジションと、ＡＦレンズ２１２の位置を表わすフォーカスポジションとを検出し、撮像制御部３０１に出力する。
レンズ駆動部２１４には、ズームレンズ２１１およびＡＦレンズ２１２の位置を制御するための駆動制御信号が撮像制御部３０１から入力し、この駆動制御信号に基づき、ズームレンズ２１１およびＡＦレンズ２１２の位置を制御する。これにより、ズームレンズ２１１およびＡＦレンズ２１２が移動される。
シャッター２１５は、撮像制御部３０１によってその開閉が制御され、操作部１０５を介してユーザから撮像を指示する操作情報が入力されると、撮像条件に応じたシャッター時間とタイミングで制御される。
【００１３】
撮像素子２０２は、例えば、光電変換面を備え、その受光面に結像した光学像を電気信号に変換して、Ａ／Ｄ変換部２０３に出力する。この撮像素子２０２は、例えば操作部１０５を介して撮像指示を受け付けた際に得られる静止画又は動画の画像データを、撮像画像データとして、Ａ／Ｄ変換部２０３に出力する。また、この撮像素子２０２は、操作部１０５を介して撮像指示を受け付けていない状態において、連続的に得られる静止画又は動画の画像データを、スルー画データとして、Ａ／Ｄ変換部２０３に出力する。
なお、撮像画像データは、例えば、撮像素子２０２の画素数に応じた高画質の画像データである。一方、スルー画データは、例えば、表示部１０４の表示画面のサイズに応じて画素数を低減させた低画質な画像データである。
【００１４】
Ａ／Ｄ変換部２０３は、撮像素子２０２から入力される電気信号をデジタル化して、デジタル信号である撮像画像データを、バッファメモリ部１１０に出力するとともにデジタル信号であるスルー画データを、バッファメモリ部１１０及び表示部１０４に出力する。
【００１５】
ＣＰＵ１０２は、撮像制御部３０１と、表示制御部３０２と、統計処理部３０３と備え、撮像装置１を統括的に制御する。
この撮像制御部３０１は、レンズエンコーダ２１３から出力されるズームポジションおよびフォーカスポジションに基づき、レンズ駆動部２１４を駆動する駆動制御信号を生成して、レンズ駆動部２１４に出力する。その生成アルゴリズムは、必要に応じて適宜のアルゴリズムを用いてよい。
【００１６】
撮像制御部３０１は、オートフォーカス機能を利用して、撮像対象にピントが合う位置にＡＦレンズ２１２を位置させるための駆動制御信号を生成し、レンズ駆動部２１４に出力する。この撮像制御部３０１の処理を、以下、ＡＦ制御という。
さらに、撮像制御部３０１は、操作部１０５から入力されるズームの調整量に応じて、ズームレンズ２１１の位置を調整するための駆動制御信号を生成し、レンズ駆動部２１４に出力する。この撮像制御部３０１の処理を、以下、ズーム制御という。
また、撮像制御部３０１は、操作部１０５より撮像指示を受け付けると、被写体に応じたシャッタースピードおよび絞り値で撮像するように、撮像素子２０２およびシャッター２１５を制御する。これにより露出が制御される。
このようにして、撮像制御部３０１は、被写体に応じて調整して決定され、あるいは予め設定されている撮像条件（例えば、露出時間、絞り値（Ｆ値）、ＩＳＯ感度、ホワイトバランス、フォーカス（実焦点距離）等）に従って撮像部１０１を制御する。
【００１７】
表示制御部３０２は、操作部１０５が入力する操作情報に従って、メモリ部１０９あるいは外部記録装置２に記録されている撮像画像データが表わす画像を表示部１０４に表示させる。
例えば、操作部１０５から拡大表示を指示する操作情報が入力された場合、表示制御部３０２は、表示部１０４に表示されている撮像画像データの画像を拡大する。
また、操作部１０５から比較表示を指示する操作情報が入力された場合、表示制御部３０２は、複数の撮像画像データを並べて表示部１０４に表示する。これは、例えば連写撮像によって同様の撮像画像データが取得された場合、これら同様の画像を並べて表示する際に利用される操作機能である。
さらに、操作部１０５から露出調整を指示する操作情報が入力された場合、表示制御部３０２は、画像処理部１０６に対して、画像内の露出（画質の明るさ）を調整する画像処理を行うよう制御する。
【００１８】
統計処理部３０３は、ユーザにより撮像画像データが削除対象に指定された場合に、削除対象の撮像画像データが撮像された時点から削除対象に指定された時点までに関する当該撮像画像データの関連情報に応じて、削除対象の撮像画像データと対応付けられた撮像条件情報を統計処理する。
例えば、画像情報記録制御部１０７によりメモリ部１０９あるいは外部記録装置２に記録されている撮像画像データが削除対象に指定された場合、統計処理部３０３は、この削除対象に指定された時刻に基づく削除時刻に応じて、削除対象の撮像画像データと対応付けられている撮像条件情報を統計処理する。この場合、関連情報は、削除対象に指定された時刻に基づく削除時刻である。
言い換えると、統計処理部３０３は、削除対象の撮像画像データが撮像されてから削除されるまでの時間に応じて、この削除対象の撮像画像データが統計処理をする対象であるか否かを判定し、撮像されてから削除されるまでの時間が統計処理をする対象として予め決められている時間に該当する場合、当該撮像画像データに対応する撮像条件情報について統計処理をする。
【００１９】
また、統計処理部３０３は、ユーザにより撮像画像データが削除対象に指定された場合に、画像情報記録制御部１０７により記録された撮像画像データに対して与えられた操作を示す操作情報を関連情報として、この操作情報に応じて、削除対象の撮像画像データと対応付けられた撮像条件情報を統計処理する。
言い換えると、統計処理部３０３は、操作情報毎に、撮像画像データの対象を統計処理する。
【００２０】
ここで、統計処理をする対象と、撮像されてから削除されるまでの時間との関係を、図２を参照して説明する。図２は、横軸に撮像されてから削除されるまでの時間ｔを、縦軸に削除対象の撮像画像データの枚数をそれぞれとり、その関係を示す。
はじめに、本実施形態においてユーザが失敗画像であると判断して画像を削除しているとみなす状況について説明する。
例えば、撮像時に手ブレやフラッシュの不点灯等が発生した場合、あるいは構図のとり方がうまくいかなかった場合、ユーザは、撮像したときに失敗してしまったと認識する。このような場合、ユーザは、撮像した時からまもなく、撮像した画像を再生モードを利用して確認し、失敗していたと判断した場合、この画像を削除すると考えられる。また、失敗したか否か不安である場合等も、撮像した後まもなく、再生モードを利用して、拡大表示をして、画質も詳細や人物の表情等を確認し、やっぱり失敗していたと判断すれば削除する。
このように、撮像時に失敗したことを感じた場合、ユーザは、撮像した時から程なくして削除すると考えられる。このため、撮像時から所定の一定時間経過前に削除された画像は、ユーザが失敗画像であると判断して削除している画像とみなすことができる。本実施形態では、この一定時間を、図２の閾値Ｔｔｈとする。
【００２１】
また、撮像装置１の表示部１０４の画面サイズではその画像内容をユーザが正確に確認することができない場合がある。このような場合、ユーザは、撮像装置１に記録されている撮像画像データを、例えば外部表示装置３に一度転送して外部表示装置３の大きい画面において画像内容を確認した後、失敗画像であるか否かを判断する場合がある。そして、外部表示装置３への転送が撮像後すぐにできない場合、例えば、昼に撮像した画像を夜に確認して失敗画像を削除する場合がある。
このように、撮像時からすぐに削除していない場合であっても、外部表示装置３等に転送した場合、ユーザがその画像の内容をより詳細に確認して削除いる可能性が高い。このため、撮像時から所定の一定時間経過後であっても、外部表示装置３において削除された場合、この削除された画像は、ユーザが失敗画像であると判断して削除している画像とみなすことができる。
本実施形態では、このように一定時間経過後であっても削除している画像とみなす期間を、図２の閾値Ｔｔｈ以上、閾値Ｔｅｎｄ未満とする。
【００２２】
次に、本実施形態においてユーザが失敗画像であると判断して画像を削除しているとみなす状況と、時間との関係について図２を参照して詳細に説明する。
図２に示す通り、時間ｔは、０から閾値Ｔｔｈ未満である場合（Ｅ１）、閾値Ｔｔｈ以上かつ閾値Ｔｅｎｄ未満である場合（Ｅ２）、閾値Ｔｅｎｄ以上である場合（Ｅ３）に区分される。本実施形態においては、０≦ｔ＜閾値Ｔｔｈ（Ｅ１）に該当する全ての撮像画像データに対して、統計処理部３０３が統計処理の対象とするよう予め設定されている。また、閾値Ｔｔｈ≦ｔ＜閾値Ｔｅｎｄ（Ｅ２）に該当し、かつ、一定条件をみたす撮像画像データに対しても、統計処理部３０３が統計処理の対象とするよう予め設定されている。
さらに、閾値Ｔｅｎｄ≦ｔ（Ｅ３）に該当する全ての撮像画像データに対しては、統計処理部３０３が統計処理の対象としないよう予め設定されている。
【００２３】
０≦ｔ＜閾値Ｔｔｈ（Ｅ１）に該当する全ての撮像画像データＴ１は、所定時間内に削除が指示されたため撮像時の失敗が原因で削除された画像であるとみなして、この閾値Ｔｔｈを予め決めてメモリ部１０９に設定しておく。なお、この閾値Ｔｔｈは、経験的に見出される時間として例えば３０分と予め設定されているものであってもよく、ユーザによって統計処理時までに任意の値が設定されているものであってもよい。言い換えると、撮像時から閾値Ｔｔｈ以上の時間が経過してから削除された撮像画像は、メモリ部１０９あるいは外部記録装置２の記録容量を確保するために削除された画像が混在している可能性が高いため、これらの画像を統計処理の対象から選択的に除外するためである。
【００２４】
また、閾値Ｔｔｈ≦ｔ＜閾値Ｔｅｎｄ（Ｅ２）に該当する撮像画像データＴ２、Ｔ３は、上述の通り、外部表示装置３によって表示された後に削除された撮像画像データを撮像時の失敗が原因で削除された画像であるとみなすことができる。このため、この閾値Ｔｔｈ≦ｔ＜閾値Ｔｅｎｄ（Ｅ２）に該当する撮像画像データのうち、外部表示装置３によって表示された後に削除された撮像画像データを、統計処理部３０３が統計処理の対象と判定するように設定しておく。
【００２５】
言い換えると、撮像時から閾値Ｔｔｈ以上の時間が経過してから削除された撮像画像データは、メモリ部１０９あるいは外部記録装置２の記録容量を確保するために削除された画像が混在している可能性がある。しかし、上述の通り、撮像装置１の表示部１０４の画面サイズではその画像内容をユーザが正確に確認することができない場合があり、ユーザが、撮像装置１に記録されている撮像画像データを外部表示装置３に一度転送して外部表示装置３の大きい画面において画像内容を確認した後、失敗画像であるか否かを判断する場合がある。
そこで、統計処理部３０３は、撮像時から閾値Ｔｔｈ以上の時間が経過してから削除された撮像画像データであっても、外部表示装置３によって表示された後に削除された場合、失敗画像であるとユーザが判断した画像であるとみなすことができる。この統計処理部３０３は、閾値Ｔｔｈ≦ｔ＜閾値Ｔｅｎｄ（Ｅ２）に該当する撮像画像データＴ２、Ｔ３に対して、外部表示装置３によって表示された後に削除された画像か否かを判定する。なお、撮像時から閾値Ｔｅｎｄ以上の長時間が経過してから削除された撮像画像データは、メモリ部１０９あるいは外部記録装置２の記録容量を確保するために削除された画像である可能性が高い。このため、統計処理部３０３には、これらの画像を統計処理の対象から除外するための所定の閾値が設定されている。
【００２６】
なお、この閾値Ｔｅｎｄは、経験的に見出される時間として例えば１００日と、予め設定されているものであってもよく、ユーザによって統計処理時までに任意の値が設定されているものであってもよい。
なお、統計処理部３０３による統計処理の詳細については後述する。
【００２７】
計時部１０３は、時刻を計時し、この時刻を示す時刻情報をＣＰＵ１０２、画像情報記録制御部１０７、および操作情報記録制御部１０８に出力する。
表示部１０４は、例えば液晶ディスプレイであって、撮像部１０１によって得られた撮像画像データに基づく画像、スルー画データに基づく画像、操作画面、再生画面等を表示する。
【００２８】
操作部１０５は、例えばユーザから撮像指示を受け付ける撮像ボタン４０１と、再生開始の指示を受け付ける再生ボタン４０２と、メモリ部１０９あるいは外部記録装置２に記録されている撮像画像データのうち削除対象に指定することを受け付ける削除ボタン４０３と、これ以外の指示を受け付ける操作ボタン４０４とを含む。この操作部１０５は、ユーザによって操作されることでユーザの操作入力を受け付け、操作入力に応じた操作情報をＣＰＵ１０２等に出力する。
【００２９】
画像処理部１０６は、メモリ部１０９あるいは外部記録装置２に記録されている情報を参照して、撮像画像データに対して画像処理を行う。この画像処理部１０６は、例えば、操作部１０５から撮像画像データに対する「露出調整」の画像処理を指示する操作情報が入力された場合、表示部１０４に表示されている撮像画像データの画質の明るさを補正する画像処理をし、補正後の画像を表示部１０４に表示させる。
【００３０】
画像情報記録制御部１０７は、撮像部１０１によって撮像画像データが取得された場合、この撮像画像データが取得された際に撮像制御部３０１が読み出した撮像条件を示す撮像条件情報を、当該撮像画像データに対応付けて所定の記録媒体に記録させる。なお、撮像画像データが記録される記録媒体は、撮像装置１に内蔵されているメモリ部１０９であってもよく、通信部１１１を介して接続される着脱自在の外部記録装置２であってもよい。
【００３１】
操作情報記録制御部１０８は、画像情報記録制御部１０７により記録された撮像画像データに対して施した操作を示す操作情報を当該操作の対象の撮像画像データと対応付けて記録媒体（例えば、メモリ部１０９あるいは外部記録装置２）に記録させる。
【００３２】
メモリ部１０９は、図３に示す画像履歴テーブルと、この画像履歴テーブルにおいて撮像条件情報や操作情報と対応付けられている撮像画像データと、操作情報に応じて設定された撮像条件の各種設定値を記録する。
図３を参照して画像履歴テーブルについて説明する。図３に示す通り、画像履歴テーブルは、画像ＩＤと、撮像条件情報と、操作情報と、撮像時刻情報と、削除時刻情報と、内部削除フラグと、外部削除フラグをそれぞれ対応付けるテーブルである。
画像ＩＤは、各撮像画像データに対して割り当てられる固有の識別番号である。
撮像条件情報は、各撮像画像データが撮像部１０１によって取得された際に設定されている撮像条件を示す情報である。
操作情報は、各撮像画像データの再生時に操作部１０５から入力する操作内容を示す情報である。なお、撮像画像データが外部表示装置３によって表示された後に削除され、そのことを示す情報が外部表示装置３から入力された場合、当該操作情報は、当該撮像画像データが外部表示装置３によって表示された後に削除される際に操作された内容を示す情報も含む。
【００３３】
撮像時刻情報は、各撮像画像データが撮像部１０１によって取得された際に計時部１０３が計時した時刻を示す。
削除時刻情報は、各撮像画像データが削除対象に指定された時刻を示す。つまり、削除時刻情報は、操作部１０５の削除ボタン４０３が押下されて、メモリ部１０９あるいは外部記録装置２に記録されている撮像画像データが削除される場合、各撮像画像データが削除対象に指定された際に計時部１０３が計時した時刻である。また、削除時刻情報は、外部表示装置３の操作部３４によって削除対象に指定された場合、この操作部３４によって削除対象に指定された際に、当該外部装置の計時手段によって計時された時刻である。
【００３４】
内部削除フラグは、操作部１０４の削除ボタン４０３が押下されて、撮像装置１のメモリ部１０９あるいは外部記録装置２に記録されている撮像画像データが削除対象に指定された撮像画像データであることを示すフラグである。
外部削除フラグは、外部表示装置３によって表示された後に削除されたことを示す外部表示装置削除情報が対応付けられている画像ＩＤが外部表示装置３から入力された場合、外部表示装置３によって削除対象に指定された撮像画像データであることを示すフラグである。
転送フラグは、外部表示装置３に転送された撮像画像データであることを示すフラグである。
【００３５】
バッファメモリ部１１０は、撮像部１０１によって得られたスルー画データや、撮像制御部３０１が決定する撮像条件等を、各構成おける処理に利用される情報を一次的に記録する。
【００３６】
通信部１１１は、例えば、カードメモリ等の取り外しが可能な外部記録装置２と接続され、この外部記録装置２への情報の書込み、読み出し、あるいは消去を行う。この外部記録装置２は、例えば入力した撮像画像データを外部記録装置２に記録させる。
また、通信部１１１は、ケーブルを介して外部表示装置３と接続され、メモリ部１０９に記録されている撮像画像データを外部表示装置３に出力するとともに、外部表示装置３から入力する操作情報を操作情報記録制御部１０８に出力する。
【００３７】
バス１１２は、撮像部１０１と、ＣＰＵ１０２と、計時部１０３と、表示部１０４と、操作部１０５と、画像処理部１０６と、画像情報記録制御部１０７と、操作情報記録制御部１０８と、メモリ部１０９と、バッファメモリ部１１０と、通信部１１１と接続され、各部から出力されたデータ等を転送する。
【００３８】
外部記録装置２は、撮像装置１に対して着脱可能に接続される記録媒体であって、撮像部１０１によって撮像された撮像画像データや、画像履歴テーブル等を記録する。
【００３９】
外部表示装置３は、例えば、パーソナルコンピュータ等の表示画面を備える計算処理装置であって、通信部３１と、表示部３２と、制御部３３と、操作部３４と、記録部３５を備える。
通信部３１は、撮像装置１の通信部１１１とケーブルを介して接続され、情報の伝送を行う。表示部３２は、例えば撮像装置１の表示部１０４よりは画面サイズが大きい表示画面を備える、液晶ディスプレイ等の表示装置である。制御部３３は、操作部３４から入力する操作情報に応じて外部表示装置３を統括的に制御する。操作部３４は、例えばキーボードやマウス等の入力装置である。記録部３５は、撮像装置１から伝送される撮像画像データを記録する。計時部３６は、計時した時刻を示す時刻情報を出力する。
制御部３３は、通信部３１を介して撮像装置１から転送される撮像画像データを入力し、記録部３５に格納する。操作部３４を介して、記録部３５に記録されている撮像画像データのうち一の撮像画像データが表示対象に指定された場合、制御部３３は、当該撮像画像データの画像を表示部３２に表示させる。ここで、操作部３４を介して、記録部３５に記録されている撮像画像データのうち一の撮像画像データが削除対象に指定された場合、制御部３３は、削除対象が指定されたときの時刻を示す時刻情報を計時部３６から得る。そして、制御部３３は、この削除された時刻を示す削除時刻情報と、削除されたことを示す外部表示装置削除情報と、当該撮像画像データの画像ＩＤとをそれぞれ対応付け、通信部３１に出力する。通信部３１は、この削除時刻情報、外部表示装置削除情報および画像ＩＤがそれぞれ対応付けられた情報を、撮像装置１の通信部１１１に送信する。
【００４０】
［撮像処理フロー］
次に、図４を参照して、本実施形態に係る撮像装置１の撮像処理フローの一例について説明する。図４は、本実施形態に係る撮像装置１の撮像処理フローの一例を示すフローチャートである。
【００４１】
図４に示す通り、例えば、被写体を撮像するための撮像モードにおいて、操作部１０５を介してユーザにより撮像ボタン４０１が半押しされると（ステップＳＴ１）、撮像制御部３０１は、ＡＦ制御やズーム制御等を行い、撮像対象に対してピントを合わせる。例えば、撮像制御部３０１は、オートフォーカス機能を利用して、レンズエンコーダ２１３から出力されるフォーカスポジションに基づき、撮像対象にピントが合う位置にＡＦレンズ２１２を移動させる駆動制御信号を生成し、レンズ駆動部２１４に出力する。
【００４２】
そして、撮像制御部３０１は、ピントを被写体に合わせることにより、実焦点距離、シャッタースピードおよび絞り値等を決定し、これらの情報を撮像条件の各種設定値を撮像条件情報として得る（ステップＳＴ２）。なお、撮像制御部３０１は、ユーザにより操作部１０５を介して予め設定されている撮像条件の設定値（例えばＩＳＯ感度）も、撮像条件情報として得る。例えば、撮像制御部３０１は、このときの露出時間「１／１５ｓｅｃ」と、絞り値「Ｆ８」と、ＩＳＯ感度「ＩＳＯ４００」を、撮像条件情報として得る。
【００４３】
そして、半押し状態の撮像ボタン４０１が、ユーザによって全押しされた場合（ステップＳＴ３−ＹＥＳ）、撮像制御部３０１は、シャッター２１５と撮像素子２０２を制御して、光学系２０１から入射する光学像を撮像する。これにより、例えば、撮像画像データＤ１が得られる。また、計時部１０３が、この時（撮像時）、計時した時刻を示す時刻情報を画像情報記録制御部１０７に出力する。
撮像素子２０２は、この撮像画像データＤ１のアナログ情報をＡ/Ｄ変換部２０３に出力する。このＡ/Ｄ変換部２０３は、デジタル変換した撮像画像データＤ１を、バッファメモリ部１１０に一次的に保存する。
【００４４】
そして、画像情報記録制御部１０７は、当該撮像画像データＤ１に対して、固有の識別番号である画像ＩＤ「０００１」を割り当てるとともに、ステップＳＴ２において決定した撮像条件情報と画像ＩＤ「０００１」を撮像画像データＤ１に対応付けて、メモリ部１０９あるいは外部記録装置２に記録させる（ステップＳＴ４）。
また、画像情報記録制御部１０７は、撮像時に計時部１０３から入力した時刻情報を、撮像時刻情報として、画像ＩＤ「０００１」に対応付けて、メモリ部１０９あるいは外部記録装置２に記録させる。
【００４５】
本実施形態においては、図３の画像履歴テーブルに示す通り、画像情報記録制御部１０７が、画像ＩＤ「０００１」の撮像画像データＤ１に、撮像条件情報「１／１５ｓｅｃ，Ｆ８，ＩＳＯ４００」と、撮像時刻情報「０１／７／１  １０：００」を対応付けてメモリ部１０９あるいは外部記録装置２に記録させる。
【００４６】
一方、ステップＳＴ３において、全押しされなかった場合（ステップＳＴ３−ＮＯ）、撮像制御部３０１は、ステップＳＴ２において決定した撮像条件情報を削除し、ステップＳＴ１に戻って、撮像ボタン４０１が半押しされるまで待機状態とする。
【００４７】
［転送処理フロー］
次に、図５を参照して、本実施形態に係る撮像装置１の転送処理フローの一例について説明する。図５は、本実形態に係る撮像装置１の転送処理フローの一例を示すフローチャートである。
図５に示す通り、撮像装置１と外部表示装置３とが、通信部１１１と通信部３１を介して接続された場合、ＣＰＵ１０２は、外部表示装置３と接続されたことを検出する（ステップＳＴ１１）。
次いで、操作部１０４を介して、メモリ部１０９あるいは外部記録装置２に記録されている撮像画像データが転送対象に指定された場合、ＣＰＵ１０２は、この転送対象に指定された撮像画像データをメモリ部１０９あるいは外部記録装置２から読み出し、通信部１１１を介して外部表示装置３に出力する（ステップＳＴ１２）。
【００４８】
そして、ＣＰＵ１０２は、画像履歴テーブルにおいて、転送対象に指定された撮像画像データの画像ＩＤに転送フラグを付与して、転送した撮像画像データに対して記録を残す（ステップＳＴ１３）。
次いで、外部表示装置３において、転送された撮像画像データが削除対象が指定された場合（ステップＳＴ１４−ＹＥＳ）、制御部３３は、削除対象が指定されたときの時刻を示す時刻情報を計時部３６から得る。そして、制御部３３は、この削除された時刻を示す削除時刻情報と、削除されたことを示す外部表示装置削除情報と、当該撮像画像データの画像ＩＤとをそれぞれ対応付け、通信部３１に出力する。通信部３１は、この削除時刻情報、外部表示装置削除情報および画像ＩＤがそれぞれ対応付けられた情報を、撮像装置１の通信部１１１に送信する（ステップＳＴ１５）。
一方、外部表示装置３において、転送された撮像画像データが削除対象が指定されない場合（ステップＳＴ１４−ＮＯ）、処理を終了する。
【００４９】
［再生処理フロー］
次に、図６を参照して、本実施形態に係る撮像装置１の再生処理フローの一例について説明する。図６は、本実形態に係る撮像装置１の再生処理フローの一例を示すフローチャートである。
【００５０】
例えば、ユーザが操作部１０５の再生ボタン４０２を押下すると（ステップＳＴ２１）、表示制御部３０２が、メモリ部１０９あるいは外部記録装置２に記録されている撮像画像データを読み出し、表示部１０４に表示させる（ステップＳＴ２２）。
この表示制御部３０２は、例えば、各撮像画像データを縮小した縮小画像を、複数枚まとめて１画面とし、表示部１０４に表示する。
【００５１】
そして、操作情報記録制御部１０８は、これ以降（再生処理がスタートした時点以降）に、操作部１０５の操作により入力される操作情報を、全て、操作対象である撮像画像データに対応付けて、メモリ部１０９あるいは外部記録装置２に記録する（ステップＳＴ２３）。
つまり、この操作情報記録制御部１０８は、操作部１０５から入力する操作情報の待ち状態となり、操作部１０５の操作ボタン４０４が押下されたか否かを確認するとともに（ステップＳＴ２４）、操作部１０５の削除ボタン４０３が押下されたか否かを確認する（ステップＳＴ２５）。
この操作情報記録制御部１０８は、入力する操作情報を、各撮像画像データの画像ＩＤに対応付けて、メモリ部１０９あるいは外部記録装置２に記録する。この対応関係の一例を、図３に示す。
【００５２】
図３に示す通り、例えば、ステップＳＴ２４において、操作ボタン４０４がユーザにより操作され、画像ＩＤ「０００１」の撮像画像データＤ１を拡大して表示することを指示する操作情報を入力した場合、操作情報記録制御部１０８は、この操作情報「拡大表示」を、画像ＩＤ「０００１」に対応付けて、メモリ部１０９あるいは外部記録装置２に記録する。
【００５３】
また、ステップＳＴ２５において、操作ボタン４０４がユーザにより操作され、画像ＩＤ「０００１」の撮像画像データＤ１を削除することを指示する操作情報を入力した場合、操作情報記録制御部１０８は、計時部１０３によって計時された時刻を示す時刻情報「０１／７／１  １０：２０」を、削除時刻情報として、画像ＩＤ「０００１」に対応付けて、メモリ部１０９あるいは外部記録装置２に記録する。このとき、操作情報記録制御部１０８は、画像ＩＤ「０００１」に対して削除フラグを付与する。
画像情報記録制御部１０７は、削除することを指示する操作情報を入力した場合、選択された撮像画像データを、メモリ部１０９あるいは外部記録装置２から削除する。但し、画像履歴テーブルにおいて画像ＩＤと対応付けられている撮像条件情報、操作情報、撮像時刻情報、および削除時刻情報は削除されない。
【００５４】
そして、例えば、ユーザによって他の撮像画像データの表示が指示された場合や、再生処理を終了する指示がなされた場合、操作情報記録制御部１０８は、現時点において表示部１０４に表示されている撮像画像データの再生処理が終了したことを判定して、バッファメモリ部１１０に一次的に記録されている操作情報を削除して、操作情報と時刻情報の記録を完了する（ステップＳＴ２６）。
【００５５】
次いで、統計処理部３０３は、画像履歴テーブルにおいて、削除フラグが付与されている画像ＩＤと対応する撮像時刻情報と削除時刻情報を読み出し、画像ＩＤごとに、その差分を算出するとともに、この差分と予め決められている閾値Ｔｔｈおよび閾値Ｔｅｎｄのそれぞれと比較する（ステップＳＴ２７）。
統計処理部３０３は、この差分が０≦ｔ＜閾値Ｔｔｈ（Ｅ１）の場合、当該画像ＩＤと対応付けられている撮像画像データを失敗画像と判定するとともに、当該画像ＩＤと対応付けられている撮像条件情報に対して統計処理を行う。
【００５６】
例えば、統計処理部３０３は、削除フラグが付与されている画像ＩＤ「０００１」の撮像時刻情報（０１／７／１  １０：００）と削除時刻情報（０１／７／１  １０：２０）を読み出し、その差分「２０分」を算出する。本実施形態において、予め決められている閾値Ｔｔｈは、例えば３０分であり、統計処理部３０３は、画像ＩＤ「０００１」の削除までの時間が閾値Ｔｔｈ未満である（ステップＳＴ２７−Ｅ１）。そのため、統計処理部３０３は、当該画像ＩＤ「０００１」の撮像画像データを、撮像時に失敗したことにより削除された撮像失敗画像であると判定し、画像ＩＤ「０００１」と対応付けられている撮像条件情報「１／１５ｓｅｃ，Ｆ８，ＩＳＯ４００」と、既に統計処理がなされた統計結果情報がメモリ部１０９あるいは外部記録装置２に記録されている場合この統計結果情報とを合わせて、統計処理を行う（ステップＳＴ２８）。
【００５７】
一方、この撮像時刻と削除時刻の差分が閾値Ｔｔｈ≦ｔ＜閾値Ｔｅｎｄ（Ｅ２）の場合（ステップＳＴ２７−Ｅ２）、統計処理部３０３は、当該画像ＩＤに対して外部削除フラグが付与されているか否かを判定する（ステップＳＴ２９）。そして、外部削除フラグが付与されている場合（ステップＳＴ２９−ＹＥＳ）、統計処理部３０３は、当該画像ＩＤと対応付けられている撮像画像データを失敗画像であると判定して、当該画像ＩＤと対応付けられている撮像条件情報に対して統計処理を行う（ステップＳＴ２８）。一方、外部削除フラグが付与されていない場合（ステップＳＴ２９−ＮＯ）、統計処理部３０３は、当該画像ＩＤと対応付けられている撮像画像データを失敗画像でないと判定して（ステップＳＴ３０）、当該画像ＩＤと対応付けられている撮像条件情報に対して統計処理は行なわない。
【００５８】
また、ステップＳＴ２７において、撮像時刻と削除時刻の差分が閾値Ｔｅｎｄ≦ｔ（Ｅ３）の場合（ステップＳＴ２７−Ｅ３）、統計処理部３０３は、当該画像ＩＤと対応付けられている撮像画像データを失敗画像でないと判定して（ステップＳＴ３０）、当該画像ＩＤと対応付けられている撮像条件情報に対して統計処理は行なわない。
【００５９】
例えば、図３に示す通り、画像ＩＤ「０００４」、「０００６」は、撮像時刻情報と削除時刻情報を差分が閾値Ｔｔｈ（３０分）以上であり、外部削除フラグも付与されているため、統計処理部３０３は、画像ＩＤ「０００４」、「０００６」と対応付けられている撮像画像データを失敗画像であると判定する。そして、統計処理部３０３は、画像ＩＤ「０００４」と対応付けられている操作情報「拡大表示，比較表示」と、撮像条件情報「１／１０ｓｅｃ，Ｆ８，ＩＳＯ２００」を読み出す。また、統計処理部３０３は、画像ＩＤ「０００６」と対応付けられている操作情報「露出調整」と、撮像条件情報「１／１０ｓｅｃ，Ｆ８，ＩＳＯ４００」を読み出す。
【００６０】
次いで、統計処理部３０３は、操作情報「拡大表示」に対応する撮像失敗画像の撮像条件として「１／１０ｓｅｃ，Ｆ８，ＩＳＯ２００」を取得し、操作条件「拡大表示」の失敗画像の撮像条件として、第１解析フォルダＦ１に格納する。
また同様にして、統計処理部３０３は、操作情報「比較表示」、「露出調整」に対応する撮像失敗画像の撮像条件として「１／１０ｓｅｃ，Ｆ８，ＩＳＯ２００」、「１／１０ｓｅｃ，Ｆ８，ＩＳＯ４００」を取得し、操作条件「比較表示」、「露出調整」の失敗画像の撮像条件として、第２解析フォルダＦ２、第３解析フォルダＦ３、それぞれに格納する。
【００６１】
そして、統計処理部３０３は、第１〜３解析フォルダＦ１〜Ｆ３毎に、それぞれに格納されている撮像条件情報の出現頻度を算出し、この出現頻度に基づき、失敗画像の失敗原因を表わす撮像条件情報を操作情報毎に表示部１０４に表示させる。この表示例を、図７に示す。
【００６２】
例えば、操作部１０５の操作ボタン４０４が操作され、ユーザによって失敗画像の失敗原因の解析結果を表示することが指示された場合、表示部１０４は、図７（ａ）に示すような画面Ａを表示する。
図７（ａ）に示す通り、表示部１０４は、失敗画像の失敗原因の解析結果を表示することが指示された場合、各操作情報を示すタグを表示する。ここでは、「拡大表示」と、「比較表示」と、「露出調整」のタグを表示する。なお、ここで、各操作情報を示すタグは、失敗画像と対応付けられている操作情報として出現頻度が多い順に表示画面の上から並べられるものであってもよい。
【００６３】
そして、「拡大表示」のタグを指定する操作が操作部１０５に入力された場合、表示部１０４は、図７（ｂ）に示すような、操作情報「拡大表示」に対応する撮像条件情報の統計処理結果Ｂ１を表示する。
一方、「比較表示」のタグを指定する操作が操作部１０５に入力された場合、表示部１０４は、図７（ｃ）に示すような、操作情報「比較表示」に対応する撮像条件情報の統計処理結果Ｂ２を表示する。
また、「露出調整」のタグを指定する操作が操作部１０５に入力された場合、表示部１０４は、図７（ｄ）に示すような、操作情報「露出調整」に対応する撮像条件情報の統計処理結果Ｂ３を表示する。
【００６４】
なお、統計処理部３０３は、第１〜３解析フォルダＦ１〜Ｆ３に格納される情報が更新される度に、格納されている撮像条件情報の出現頻度を算出し、出現頻度に応じた統計処理を行うものであってもよい。また、統計処理部３０３は、表示部１０４への表示指示が操作部１０５から入力されることによって、選択された操作情報に対応するフォルダ内の情報を統計処理するものであってもよい。
なお、この統計処理とは、撮像条件情報の出現頻度に応じた統計処理結果を得る処理であって、例えば、出現頻度が多い順に並べた昇順結果や、出現頻度が最も多い撮像条件を示す最多出現結果等を統計処理結果として得るものである。
【００６５】
なお、本発明において統計処理は上記例に限られず、例えば、統計処理部３０３が、失敗画像の画像ＩＤと対応付けられている撮像条件情報を読み出す際に、これとともに、撮像時刻情報や削除時刻情報を読み出し、これらの時刻に応じた統計処理を行うものであってもよい。例えば、統計処理部３０３は、出現頻度に応じて昇順結果を得る際、撮像時刻情報や削除時刻情報が示す時刻が近い（例えば過去１月以内）撮像条件情報に対してアイコンを表示させたりするものであってもよい。
また、統計処理部３０３は、撮像時刻情報や削除時刻情報が示す時刻が現時点と近い順に並び替えるものであってもよい。
【００６６】
上述の通り、統計処理部３０３は、撮像されてから削除されるまでの時間ｔに応じて、削除対象に指定された撮像画像データが撮像時の失敗が原因で削除されたものであるか否かを判定し、原則として、撮像画像装置１において削除された撮像画像データに対しては、閾値Ｔｔｈ以上であれば統計処理を行わない。
また、統計処理部３０３は、撮像されてから削除されるまでの時間ｔが、閾値Ｔｅｎｄ未満で閾値Ｔｔｈ以上である場合、該当する撮像画像データが外部表示装置３によって表示された後に削除された対象でなければ統計処理を行わない。
【００６７】
これにより、統計処理部３０３は、撮像時の失敗が原因というよりも、メモリ部１０９あるいは外部記録装置２の記録容量を確保するために削除された画像と推定される撮像画像データを除外することができる。よって、統計処理部３０３は、削除された画像として、失敗画像であるとユーザが判定した画像と推定される撮像画像データであって、失敗が原因で削除された画像ではない撮像画像データを除いた撮像画像データの撮像条件情報に基づき、統計処理を行うことができる。このため、その統計処理による解析結果の精度を高めることができる。
【００６８】
また、統計処理部３０３が操作情報に応じて撮像条件の統計処理を行うことにより、ユーザの撮像時の失敗の原因の傾向を出力することができる。
例えば、操作情報「拡大表示」と関連付けられている失敗画像は、撮像後の画像をユーザが表示部１０４等において確認して、そのピントや手ブレ等の不具合を確認した後、削除されたものと推定される。この場合、失敗の原因は、手ブレや、ピントが調整される前にユーザが撮像ボタン４０１を押下したことであると推定される。
一方、操作情報「比較表示」と関連付けられている失敗画像は、撮像後の画像をユーザが表示部１０４等において確認して、例えば連写撮像のように、同様の画像が複数枚撮像された場合、これら同様の複数枚の画像を並べて表示して比較した結果、削除されたものと推定される。この場合、失敗の原因は、構図や被写体の違いであると推定される。
【００６９】
また、操作情報「露出調整」と関連付けられている失敗画像は、撮像後の画像をユーザが表示部１０４等において確認して、撮像時の露出ではユーザの所望した明るさとなっていなかったため、事後的にその露出を調整する補正処理がなされたものの、補正処理では所望の明るさとならなかったため、削除されたものと推定される。この場合、失敗の原因は、撮像時の露出調整（露出時間やシャッタースピード等）であると推定される。
このように、操作情報に応じて失敗の要因が推定される。そのため、操作情報に応じて失敗画像の撮像条件情報を表示させることができる。これにより、ユーザは、失敗原因がわかり、失敗しやすい撮像手法や撮像時のシチュエーション等を統計的に知ることができる。つまり、統計処理の結果を参考にして、ユーザは、どのような失敗画像に基づき得られた撮像条件であるのか理解することができ、これを参考にして失敗の再発を防止するよう撮像時に注意を払い、工夫することができる。
【００７０】
なお、本発明は上記構成に限られず、例えば、統計処理された統計結果をユーザが理解しやすいメッセージ等に変形して表示するものであってもよい。例えば、操作情報「拡大表示」と関連付けられている失敗画像は、その被写体の細部の画質をユーザが確認した上で削除されたものであるため、その被写体は人物の顔等であることが多い。よって、撮像時に、例えばスルー画データをパターン認識を利用した顔認識処理を行い、画像データ内に含まれる人物の顔に対応する画像領域を検出した場合、以下のような処理を行うものであってもよい。例えば、統計処理部３０３は、失敗画像の操作情報「拡大表示」と対応付けられている撮像条件情報のうち、出現頻度の高い撮像条件情報に含まれる各撮像条件と、現時点において設定されている撮像条件が一致する項目がある場合、当該項目に関連するメッセージを表示部１０４に表示するものであってもよい。
具体的にいうと、失敗画像の操作情報「拡大表示」と対応付けられている撮像条件情報のうち、出現頻度が最多の撮像条件情報が「１／１５ｓｅｃ，Ｆ８，ＩＳＯ４００」であったとする。一方、撮像時において撮像ボタン４０１が半押しされ、撮像制御部３０１が決定する撮像条件のうちＩＳＯ感度が「ＩＳＯ４００」であり、スルー画データから人物の顔に対応する画像領域が検出されたとする。この場合、統計処理部３０３は、撮像条件のうちＩＳＯ感度が撮像時の条件と一致した場合に表示するメッセージとして予め決められているメッセージ（例えば「シャッター時の手ブレに気をつけましょう」）をメモリ部１０９から読み出し、表示部１０４に出力する。
これにより、撮像装置１は、スルー画データの画像を表示部１０４に表示するとともに、撮像時におけるアドバイスや注意のメッセージを、失敗画像の履歴情報に基づき得て、表示部１０４に表示させることができる。
【００７１】
なお、本実施形態において、統計処理部３０３は、閾値Ｔｔｈ≦ｔ＜閾値Ｔｅｎｄ（Ｅ２）に該当する撮像画像データのうち、外部表示装置３によって表示された後に削除されたことを示す外部表示装置削除情報が対応付けられている画像ＩＤが外部表示装置３から入力された場合、当該画像ＩＤに対応する撮像画像データを統計処理の対象と判定すると説明した。しかし、本発明はこれに限られず、以下のような態様であってもよい。例えば、通信部１１１が、テレビやプロジェクタ等の出力装置と接続し、撮像画像データを転送する場合、これらテレビやプロジェクタ等では撮像画像データを削除する機能が搭載されていない場合がある。この場合、撮像画像データをテレビやプロジェクタ等に出力しつつ、撮像装置１の削除ボタンを押下して削除対象として指定された撮像画像データを画像情報記録制御部１０７がメモリ部あるいは外部記録装置２から削除する構成であってもよい。
この場合、操作情報記憶制御部１０８は、撮像装置１の機能を利用して削除した撮像画像データであっても、テレビやプロジェクタ等に表示された状態で削除が指示されたものに対しては、外部削除フラグを付与する。
【００７２】
なお、撮像装置１および外部表示装置３による手順を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳ（Ｏｐｅｒａｔｉｎｇ  Ｓｙｓｔｅｍ）や周辺機器等のハードウェアを含むものであってもよい。
【００７３】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記録装置のことをいう。
【００７４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記録装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００７５】
１…撮像装置、２…外部記録装置、３…外部表示装置、１０１…撮像部、２０１…光学系、２０２…撮像素子、２０３…Ａ/Ｄ変換部、１０２…ＣＰＵ、１０３…計時部、１０４…表示部、１０５…操作部、１０６…画像処理部、１０７…画像情報記録制御部、１０８…操作情報記録制御部、１０９…メモリ部、１１０…バッファメモリ部、１１１…通信部、１１２…バス
【図１】
2012165184.tif 000003
【図２】
2012165184.tif 000004
【図３】
2012165184.tif 000005
【図４】
2012165184.tif 000006
【図５】
2012165184.tif 000007
【図６】
2012165184.tif 000008
【図７】
2012165184.tif 000009